(57)【要約】  本発明は、タッチスクリーンを備えた携帯用端末機に関するものであって、ユーザが携帯用端末機を握ったままで親指を動かす容易に入力できるようにするためのものである。このために本発明は、タッチスクリーンと、上記タッチスクリーンの上に図示され、上記タッチスクリーンの一隅を中心とする扇形の軌跡を有する曲線形状のインターフェース部と、上記インターフェース部の上に接触が発生すれば、これに対応する処理を遂行する制御部と、を備えることを特徴とする。【選択図】図２
2010538350.tif 000002
【特許請求の範囲】
【請求項１】
タッチスクリーンと、
前記タッチスクリーンの上に図示され、前記タッチスクリーンの一隅を中心とする扇形の軌跡を有する曲線形状のインターフェース部と、
前記インターフェース部の上に接触が発生すれば、これに対応する処理を遂行する制御部と、
を備えることを特徴とするタッチスクリーンを備えた携帯用端末機。
【請求項２】
前記インターフェース部は、２乃至６センチメートルの半径を有することを特徴とする請求項１に記載のタッチスクリーンを備えた携帯用端末機。
【請求項３】
前記制御部は、前記インターフェース部の上に接触が発生すれば、接触点の座標に対応する処理を遂行することを特徴とする請求項１に記載のタッチスクリーンを備えた携帯用端末機。
【請求項４】
前記制御部は、前記インターフェース部の上に接触が維持されたままで、前記インターフェースの上の一側方向に接触点が移動する場合、移動方向、移動距離、移動速度のうち、１つ以上を用いて、これに対応する処理を遂行することを特徴とする請求項１に記載のタッチスクリーンを備えた携帯用端末機。
【請求項５】
前記制御部は、前記インターフェース部の上に接触が維持されたままで、前記インターフェース部の上の一側方向に接触点が移動する場合、これに対応して前記タッチスクリーンにディスプレイされた多数の選択項目の中にフォーカスを移動するように処理することを特徴とする請求項１に記載のタッチスクリーンを備えた携帯用端末機。
【請求項６】
タッチスクリーンと、前記タッチスクリーンの上に前記タッチスクリーンの一隅を中心とする扇形の軌跡を有する曲線形状のインターフェース部と、マルチメディアコンテンツを再生し、かつ前記インターフェース部の上に接触が発生すれば、これに対応してマルチメディア再生を制御する制御部と、を備え、かつ、
前記制御部は、前記インターフェース部の上に接触が維持されたままで、前記インターフェース部の上の一側方向に接触点が移動すれば、移動距離または移動速度に従いマルチメディアコンテンツの再生速度と方向を制御することを特徴とするタッチスクリーンを備えた携帯用端末機。
【請求項７】
前記制御部は、前記インターフェース部の上の接触が維持されたままで、前記インターフェース部の上の一側方向に接触点が移動するにつれてマルチメディアの再生速度と方向を制御する接触が消滅すれば、前記マルチメディアコンテンツを正常速度に順方向再生することを特徴とする請求項６に記載のタッチスクリーンを備えた携帯用端末機。
【請求項８】
前記インターフェース部の上の第１地点に接触が発生した後、接触が維持されながら前記インターフェース部の上の第２地点まで接触点が移動した後、接触が消滅すれば、前記制御部は再生中のマルチメディアコンテンツの相応する区間を繰り返して再生するように制御することを特徴とする請求項６に記載のタッチスクリーンを備えた携帯用端末機。
【請求項９】
再生中のマルチメディアコンテンツが動画の場合、前記制御部は前記インターフェース部の上の接触が維持されたままで、前記インターフェース部の上の一側方向に接触点が移動すれば、一定距離移動時毎に１フレームずつ再生することを特徴とする請求項６に記載のタッチスクリーンを備えた携帯用端末機。
【請求項１０】
前記インターフェース部の内側に携帯用端末機の機能操作のための多数のボタンを更に備えることを特徴とする請求項６に記載のタッチスクリーンを備えた携帯用端末機。
【請求項１１】
多数の選択項目をディスプレイするタッチスクリーンと、前記タッチスクリーンの上に前記タッチスクリーンの一隅を中心とする扇形の軌跡を有する曲線形状のインターフェース部と、前記インターフェース部の上に接触が発生すれば、これに対応する処理を遂行する制御部と、を備え、かつ、
前記インターフェース部の上に接触が維持されたままで、前記インターフェース部の一側方向に接触点が移動する場合、これに対応して前記タッチスクリーンにディスプレイされた多数の選択項目に対するフォーカスを移動するように処理することを特徴とするタッチスクリーンを備えた携帯用端末機。
【発明の詳細な説明】
【技術分野】
【０００１】
本発明は、タッチスクリーンを備えた携帯用端末機に関し、より詳しくは、ユーザが携帯用端末機を握ったままで、携帯用端末機を握った手の親指を左右に動かすだけで、容易に入力できる携帯用端末機に関する。
【背景技術】
【０００２】
ノートブックコンピュータが市場に紹介されて僅か十数年しか経っていないが、電子製品は次第に目覚ましい速度で発展しており、次第に小型化している。特に、このような小型化趨勢の結果、携帯しながら各種の情報を入力または出力するためのＰＤＡ（Personal Digital Assistants）が呼応を得ており、携帯電話も最近のコンバーゼンス傾向を反映してスマートフォンの形態で広く市場に発表されているのが実状である。これだけでなく、ノートブックコンピュータもそのサイズによってサブノートブック、ミニノートブックのように分類されたが、最近はＵＭＰＣ（Ultra Mobile Personal Computer）という新たな形態に進化することに至った。
【０００３】
このようなＰＤＡやＵＭＰＣのように携帯しながら情報を入出力するための端末装置（以下、携帯用端末機という）は、一部を除いては多くはタッチスクリーンを採択しており、スタイラスペンを用いて入力することが一般的である。サイズを縮めるために、キーボードの代わりにタッチスクリーンを備えたこのような携帯用端末機の登場により入力方式は画期的に変化するようになった。このようなスタイラスペンを用いた入力方式を例を挙げて具体的に説明すれば、画面上に仮想のキーボードをディスプレイした後、入力しようとするキーをスタイラスペンで押して入力する方式があり、または筆記認識ソフトウェアを用いてタッチスクリーン上に文字を書いた後、これをテキストに変換することにより入力する方式もある。
【０００４】
しかしながら、このような従来の方式は片手で携帯用端末機を握って、残りの片手でスタイラスペンを用いて入力しなければならないので、簡単な操作のためにもスタイラスペンを取り出して入力動作を取らなければならないという面倒さがあった。
【０００５】
ここに、より直観的な入力を可能になるインターフェースの開発が必要な実状であったし、特にユーザが手で握って操作する携帯用端末機の特性上、端末機の重さとサイズを勘案した人間工学（Human Engineering）的、または人体工学（Ergonomics）的な観点からの接近が必要な実状であった。
【発明の概要】
【発明が解決しようとする課題】
【０００６】
本発明は、上記のような従来技術の問題点を解決するために開発されたものであり、ユーザが携帯用端末機を握ったままで親指を左右に動かすだけでも、容易に入力できるタッチスクリーンを備えた携帯用端末機を提供することをその目的とする。
【課題を解決するための手段】
【０００７】
上記のような目的を達成するために本発明は、タッチスクリーンと、上記タッチスクリーンの上に図示され、上記タッチスクリーンの一隅を中心とする扇形の軌跡を有する曲線形状のインターフェース部と、上記インターフェース部の上に接触が発生すれば、これに対応する処理を遂行する制御部と、を備えることを特徴とする。
【０００８】
一方、上記のような目的を達成するための本発明の一実施形態は、タッチスクリーンと、上記タッチスクリーンの上に上記タッチスクリーンの一隅を中心とする扇形の軌跡を有する曲線形状のインターフェース部と、マルチメディアコンテンツを再生し、かつ上記インターフェース部の上に接触が発生すれば、これに対応してマルチメディア再生を制御する制御部と、を備え、かつ、上記制御部は、上記インターフェース部の上に接触が発生すれば、接触点の座標に対応してマルチメディアの再生を制御するか、または接触が維持されたままで、上記インターフェース部の上の一側方向に接触点が移動すれば、移動距離または移動速度に対応してマルチメディアの再生を制御することを特徴とする。
【０００９】
また、上記のような目的を達成するための本発明の一実施形態は、多数の選択項目をディスプレイするタッチスクリーンと、上記タッチスクリーンの上に上記タッチスクリーンの一隅を中心とする扇形の軌跡を有する曲線形状のインターフェース部と、上記インターフェース部の上に接触が発生すれば、これに対応する処理を遂行する制御部と、を備え、かつ、上記インターフェース部の上に接触が維持されたままで、上記インターフェース部の一側方向に接触点が移動する場合、これに対応して上記タッチスクリーンにディスプレイされた多数の選択項目に対するフォーカスを移動するように処理することを特徴とする。
【発明の効果】
【００１０】
本発明によれば、携帯用端末機を片手で握ったままで親指を動かすだけで、容易に入力可能になって、携帯用端末機を把持する姿勢が安定して落としたりすることが減って、携帯用端末機を握った手の姿勢を変えたり、または残りの片手でスタイラスペンを握ってタッチスクリーンに入力する等の不便性無しで、片手でも携帯用端末機を握ったままで多様な入力が可能になるという効果がある。
【図面の簡単な説明】
【００１１】
【図１】本発明によるタッチスクリーンを備えた携帯用端末機を例示的に示す参考図である。
【図２】本発明の一実施形態によるタッチスクリーンを備えた携帯用端末機における入力方法を示す参考図である。
【図３】本発明の一実施形態によるタッチスクリーンを備えた携帯用端末機における入力方法を示す参考図である。
【発明を実施するための形態】
【００１２】
以下、添付図面を参考しつつ本発明によるタッチスクリーンを備えた携帯用端末機の構成を詳細に説明する。
【００１３】
図１に示すように、本発明のタッチスクリーンを備えた携帯用端末機は、タッチスクリーン１１０と、タッチスクリーンの上に図示されたインターフェース部１２０と、制御部１３０とを備えることが分かる。
【００１４】
タッチスクリーン１１０は、グラフィックまたはテキストデータをディスプレイし、スタイラスペンやユーザの指などを用いた物理的な接触が発生すれば、その接触点の座標を読取って入力値として受け入れるものであって、ディスプレイ装置で、かつ入力装置に該当する。このようなタッチスクリーン１１０は、従来の技術によるものを利用することができ、その一隅にインターフェース部１２０がディスプレイできるようになっているものであれば、その形状を制限しない。
【００１５】
インターフェース部１２０は、図１に示すように、タッチスクリーン１１０の一隅に長くディスプレイされるが、タッチスクリーンの１１０の一隅を中心として四半円を描く形状でなされる。即ち、図１に例示的に示すように、タッチスクリーン１１０の左下段の隅に長くディスプレイされたインターフェース部１２０とタッチスクリーンの左側及び下段面が扇形の形状をするようになることが分かる。
【００１６】
インターフェース部１２０が前述したような曲線形状を有することは、携帯用端末機１００をユーザが手に握って操作しようとする場合、親指が自由に動ける範囲内で容易に操作できるようにするためである。この際、幾何学的に正確に扇形の形状を揃えなければならないか、タッチスクリーンの隅が正確に扇形の中心に位置しなければならないことに限定するのではなく、概略的に隅部分を中心とする扇形の形状を揃えてユーザが携帯用端末機１００を手に握った状態で親指を動かす時、指先部分の動線と上記インターフェース部１２０の軌跡とがある程度一致するようにすることで充分である。このために、上記インターフェース部１２０の半径は２乃至６センチメートルにすることが好ましい。
【００１７】
一方、制御部１３０は上記インターフェース部１２０を介した入力があれば、これに対応する入出力処理を遂行する。図１では、理解を助けるためにＩＣチップの形態で制御部１３０を図示しているが、有形物でない運営体系のような形態で具現されることができ、ハードウェアで具現される場合としても製品の内部に実装されて外部から観察できないことがある。
【００１８】
図１を参照すれば、上記インターフェース部１２０は左側から右側に長い下向け曲線の形態となっているが、このようなインターフェース部１２０に対して区間を分けて接触が発生すれば、その接触点が属する区間に従い、これに対応する処理を遂行することができる。例えば、上記インターフェース部１２０を介してマルチメディアコンテンツの再生を制御すれば、左上段の区間は巻き戻し、中間の区間は再生、右下段の区間は早巻きのように具現できる。
【００１９】
このような方法の以外にも、上記インターフェース部１２０の上に接触が維持された状態で、ユーザが親指を動かして上記インターフェース部１２０の一側方向に接触点を移動する場合には、接触点の移動方向や移動距離または移動速度を用いて、これに対応する処理を遂行することができる。例えば、図３にはユーザが左手の親指先をタッチスクリーン１１０のインターフェース部１２０の領域に接触したままで右下方に動かす形態が図示されている。前述したように、マルチメディアコンテンツ再生の例を挙げて説明すれば、このような入力に対して移動方向を認知して右方向に移動したので、早巻きを遂行するように処理するとか、移動距離を認知して右方に約５０ピクセル移動したので、再生中のコンテンツを５０秒後に移動させるとか、移動速度を認知して右方に速い速度で移動したので、４倍速に再生する等、多様な方法により処理することができる。
【００２０】
その他にも、上記インターフェース部１２０の上に接触が維持されたままで、インターフェース部の上の一側方向に接触点が移動する場合、スクロールバーのような機能をするように処理することもできる。例えば、多数の選択項目が存在する場合、接触点の移動方向に従い選択項目のフォーカスを移動するように処理することができる。
【００２１】
図２は、本発明の一実施形態によるタッチスクリーンを備えた携帯用端末機における入力方法を示す参考図である。本発明の一実施形態は、マルチメディアコンテンツの再生を制御するようにする構成に関するものであって、制御部１３０がインターフェース部１２０の上の接触による入力に対する処理及びマルチメディアの再生を処理する。
【００２２】
この際、制御部１３０は上記インターフェース部１２０の上に接触が維持されたまま、上記インターフェース部の上の一側方向に接触点が移動する場合、これに対応してメディアの再生速度及び方向を制御する。図２に例示的に示すように、上記インターフェース部１２０の右下段には早巻き表示が、左上段には巻戻し表示が表示されているが、これはユーザの親指の接触点が右下段に移動すればするほど、再生速度または早巻き速度を徐々に早く制御し、左上段に移動すれば、反対に、巻戻し速度を徐々に早く制御するようになる。延いては、ユーザが親指の接触を離れれば、正常速度で再生されるようにすることができる。
【００２３】
その他にも、インターフェース部１２０に対する操作を通じて再生中のマルチメディアコンテンツに対する区間反復機能を設定することもできる。反復再生される区間を設定するために、ユーザが上記インターフェース部１２０の上の所定の位置に親指などを用いて接触した後、接触を続けて維持したままで、上記インターフェース部１２０の上の他の位置に接触点を移動させれば、その移動距離に対応する区間に対して区間反復が設定される。例えば、図２に例示的に図示されたことを参考すれば、１０時間分量のマルチメディアコンテンツが再生中にあり、ユーザが親指を用いてインターフェース部１２０の左上段に接触した後、右下段方向に約２０％地点まで接触点を移動したことが分かる。インターフェース部１２０の左上段には２：０３：３４のように表示されて、２時間３分３４秒だけ再生されたことを知らせている。以後、ユーザが親指を離れれば、再生中のマルチメディアコンテンツの開始部分から２時間３分３４秒の区間までに対して区間反復が設定される。前述したような区間選択のための操作の前に区間反復機能を付けるための別の操作が先行できる。
【００２４】
一方、動画を再生する場合、インターフェース部１２０に対する操作を通じて１フレームずつ再生するようにすることもできる。インターフェース部１２０の上の接触が維持されたままで、上記インターフェース部１２０の上の一側方向に接触点が移動すれば、一定の距離だけ移動する度に再生中の動画に対して１フレームずつめくりながら再生するようにすることができる。このような動画のフレーム別の再生の前にこのような機能を付けるための別の操作が先行できる。
【００２５】
上記インターフェース部１２０の内側に携帯用端末機の機能の操作のための多数のボタン１４０を更に備えることもできる。このような多数のボタン１４０は、インターフェース部１２０と同様に、タッチスクリーン１１０にディスプレイされるものであって、図２に図示された例では、反対方向に再生、一時停止、ボリューム調節のようなマルチメディア再生と関連したボタンが例示的にタッチスクリーン１１０の上にディスプレイされているが、携帯用端末機の機能を操作するためのものであれば、その機能や形態を制限するのではない。
【００２６】
図３は、本発明の一実施形態によるタッチスクリーンを備えた携帯用端末機における入力方法を示す参考図である。本発明の一実施形態は、タッチスクリーン１１０にディスプレイされた多数の選択項目に対し、フォーカスを移動しようとする場合、インターフェース部１２０を用いてスクロールバーのような機能を遂行するようにする構成に関するものである。
【００２７】
上記インターフェース部１２０の上に接触が維持されたままで、上記インターフェース部１２０の一側方向に接触点が移動する場合、制御部がタッチスクリーン１１０にディスプレイされた多数の選択項目に対してフォーカスを移動するように処理する。図３に例示的に示すように、ユーザの左手の親指がタッチスクリーン１１０のインターフェース部１２０の領域に接触したままで左上段から右方に移動した距離だけスクロールダウンされて“Movie Title 01”から“Movie Title 04”にフォーカスが移動したことが分かる。
【図１】
2010538350.tif 000003
【図２】
2010538350.tif 000004
【図３】
2010538350.tif 000005
【国際調査報告】
2010538350.tif 000006
2010538350.tif 000007